(57)【要約】【課題】  光学軸に沿って光ファイバコネクタを受け入れるための新規で且つ改良されたリセプタクルを提供する。【解決手段】  光学軸２２に沿って光ファイバコネクタを受け入れるためのリセプタクル１０が提供される。このリセプタクルは、光学軸２２に沿って挿入された光ファイバコネクタを受け入れる前方開放端２４を含む。外壁４６がこの前方開放端２４から後方に延びる。シャッター部材１４は、前方開放端２４に隣接してハウジング１２に枢着されそして前方開放端２４を閉じたり開いたりするように枢着回転できる。シャッター部材１４は、これが閉じたときには光学軸２２を横切って延びる。シャッター部材１４は、上記後方に延びる外壁４６に並置される位置まで光学軸２２から離れるように枢着回転できる。【選択図】      図１
0003105127.tif 000002
【実用新案登録請求の範囲】
【請求項１】
光学軸（２２）に沿って光ファイバコネクタを受け入れるためのリセプタクル（１０）において、
上記光学軸（２２）に沿って挿入された光ファイバコネクタを受け入れる前方開放端（２４）及びこの前方開放端（２４）から後方に延びる外壁（４６）を有するハウジング（１２）と、
上記前方開放端（２４）に隣接してハウジング（１２）に枢着されそして上記前方開放端（２４）を閉じたり開いたりするように枢着回転できるシャッター部材（１４）とを備え、このシャッター部材（１４）は、これが閉じたときには光学軸（２２）を横切って延び、そしてこのシャッター部材（１４）は、上記後方に延びる外壁（４６）に押し付けられる位置まで光学軸（２２）から離れるように枢着回転できることを特徴とする保護シャッターを有する光ファイバリセプタクル（１０）。
【請求項２】
上記ハウジング（１２）は、シャッター部材（１４）が上記後方に延びる外壁（４６）に押し付けられた状態で操作者が親指と人差し指との間に掴めるサイズ及び形状である請求項１に記載の保護シャッターを有する光ファイバリセプタクル（１０）。
【請求項３】
上記シャッター部材（１４）は、ほぼ平面である請求項１に記載の保護シャッターを有する光ファイバリセプタクル（１０）。
【請求項４】
上記後方に延びる外壁（４６）は、ほぼ平らである請求項３に記載の保護シャッターを有する光ファイバリセプタクル（１０）。
【請求項５】
上記シャッター部材（１４）は、ほぼ長方形である請求項１に記載の保護シャッターを有する光ファイバリセプタクル（１０）。
【請求項６】
上記ハウジング（１２）の上記前方開放端（２４）は、ほぼ長方形である請求項５に記載の保護シャッターを有する光ファイバリセプタクル（１０）。
【請求項７】
上記シャッター部材（１４）は、ほぼ長方形の開放端（２４）の一縁においてハウジング（１２）に枢着される請求項６に記載の保護シャッターを有する光ファイバリセプタクル（１０）。
【請求項８】
上記ハウジング（１２）は、一対の前方開放端（２４）を並置関係で含み、各前方開放端（２４）に隣接してハウジング（１２）に１つのシャッター部材（１４）が独立して枢着される請求項１に記載の保護シャッターを有する光ファイバリセプタクル（１０）。
【請求項９】
上記リセプタクル（１０）は、その一端に上記開放端（２４）をそしてその反対端に関連光ファイバ伝送手段に嵌合する端面（２８）を有するアダプタである請求項１に記載の保護シャッターを有する光ファイバリセプタクル（１０）。
【請求項１０】
光学軸（２２）に沿って光ファイバコネクタを受け入れるためのリセプタクル（１０）において、
上記光学軸（２２）に沿って挿入された光ファイバコネクタを受け入れるほぼ長方形の前方開放端（２４）及びこの前方開放端（２４）から後方に延びるほぼ平らな外壁（４６）を有するハウジング（１２）と、
上記ほぼ長方形の前方開放端（２４）の一縁においてハウジング（１２）に枢着されそして上記開放端（２４）を閉じたり開いたりするように枢着回転できるほぼ長方形でほぼ平面のシャッター部材（１４）とを備え、このシャッター部材（１４）は、これが閉じたときには光学軸（２２）を横切って延び、そしてこのシャッター部材（１４）は、上記後方に延びる外壁（４６）に押し付けられる位置まで光学軸（２２）から離れるように枢着回転できることを特徴とする保護シャッターを有する光ファイバリセプタクル（１０）。
【請求項１１】
上記ハウジング（１２）は、シャッター部材（１４）が上記後方に延びる外壁（４６）に押し付けられた状態で操作者が親指と人差し指との間に掴めるサイズ及び形状である請求項１０に記載の保護シャッターを有する光ファイバリセプタクル（１０）。
【請求項１２】
上記リセプタクル（１０）は、その一端に上記開放端（２４）をそしてその反対端に関連光ファイバ伝送手段に嵌合する端面（２８）を有するアダプタである請求項１０に記載の保護シャッターを有する光ファイバリセプタクル（１０）。
【請求項１３】
上記ハウジング（１２）は、一対の前方開放端（２４）を並置関係で含み、各前方開放端（２４）に隣接してハウジング（１２）に１つのシャッター部材（１４）が独立して枢着される請求項１０に記載の保護シャッターを有する光ファイバリセプタクル（１０）。
【請求項１４】
光学軸（２２）に沿って光ファイバコネクタを受け入れるためのリセプタクル（１０）において、
上記光学軸（２２）に沿って挿入された光ファイバコネクタを受け入れる開放端（２４）を有するハウジング（１２）と、
上記開放端（２４）に隣接してハウジング（１２）に枢着されそして上記開放端（２４）を閉じたり開いたりするように枢着回転できるシャッター部材（１４）とを備え、このシャッター部材（１４）は、これが閉じた位置にあるときには光学軸（２２）を横切って延び、そしてこのシャッター部材（１４）は、上記閉じた位置から開いた位置まで約２７０°にわたって枢着回転でき、最も開いた位置ではハウジング（１２）の外壁（４６）に押し付けられることを特徴とする保護シャッターを有する光ファイバリセプタクル（１０）。
【請求項１５】
上記シャッター部材（１４）は、ほぼ長方形である請求項１４に記載の保護シャッターを有する光ファイバリセプタクル（１０）。
【請求項１６】
上記ハウジング（１２）の上記開放端（２４）は、ほぼ長方形である請求項１５に記載の保護シャッターを有する光ファイバリセプタクル（１０）。
【請求項１７】
上記シャッター部材（１４）は、ほぼ長方形の開放端（２４）の一縁においてハウジング（１２）に枢着される請求項１６に記載の保護シャッターを有する光ファイバリセプタクル（１０）。
【請求項１８】
上記シャッター部材（１４）は、ほぼ平面である請求項１５に記載の保護シャッターを有する光ファイバリセプタクル（１０）。
【請求項１９】
上記ハウジング（１２）は、一対の前方開放端（２４）を並置関係で含み、各開放端（２４）に隣接してハウジング（１２）に１つのシャッター部材（１４）が独立して枢着される請求項１４に記載の保護シャッターを有する光ファイバリセプタクル（１０）。
【請求項２０】
上記リセプタクル（１０）は、その一端に上記開放端（２４）をそしてその反対端に関連光ファイバ伝送手段に嵌合する端面（２８）を有するアダプタである請求項１４に記載の保護シャッターを有する光ファイバリセプタクル（１０）。
【請求項２１】
上記ハウジング（１２）は、シャッター部材（１４）がハウジング（１２）の外壁（４６）に押し付けられた状態で操作者が親指と人差し指との間に掴めるサイズ及び形状である請求項１４に記載の保護シャッターを有する光ファイバリセプタクル（１０）。
【考案の詳細な説明】
【技術分野】
【０００１】
本考案は、一般に、光ファイバコネクタに係り、より詳細には、光ファイバコネクタを一端又は両端に受け入れるアダプタのような保護シャッターを有する光ファイバリセプタクルに係る。
【背景技術】
【０００２】
光ファイバケーブルを終端すると共に、光ファイバケーブルを他のケーブル又は他の光ファイバ伝送装置に接続し易くするために、種々様々な設計の光ファイバコネクタが使用されている。典型的な光ファイバコネクタは、その中に光ファイバを取り付けてセンタリングするためのフェルールを備えている。フェルールは、セラミックのような材料で作られる。成形プラスチックのような材料で作られたフェルールホルダ又はコネクタの他のハウジング部品がフェルールを包囲する。ハウジング又はフェルールホルダ内にはスプリングが配置され、フェルールが前方に弾力でバイアスされて、相手接続装置の別のファイバ取り付けフェルールに係合される。
一対の光ファイバコネクタ、又はコネクタと別の光ファイバ伝送装置は、ほとんどの場合、ファイバをセンタリングして挿入ロスを少なくするためのアダプタに嵌合される。アダプタは、カプセル化されたファイバが端−端接続されるようにコネクタを互いに接続する。アダプタは、一体部品であってもよいし、又はパネル、バックプレーン、回路板等の開口に取り付けるように設計されてもよい。
【考案の開示】
【考案が解決しようとする課題】
【０００３】
電気導体を電気コネクタに終端するのとは異なり、光ファイバを光ファイバコネクタに終端する場合には、「アクティブ」な光ファイバコネクタのファイバ端が露出した状態になったときに、種々の問題に遭遇する。このような状態は、アダプタの一端において一方の光ファイバコネクタを取り外し、他方の「アクティブ」な光ファイバコネクタがアダプタに残されたときに生じる。
特に、露出したファイバ端が悪い環境条件によりダメージを受けたり、埃や塵の蓄積によりファイバの光透過性が損なわれたりする。別の非常に重要な問題は、アクティブな光ファイバの露出端からの危険な光ビームから操作者の目を保護することである。例えば、操作者の目は、非保護のリセプタクル又はアダプタから出る危険な光ビームによってダメージを受けることがある。
【０００４】
これまで、ダストカバーやエンドキャップやスプリング負荷シャッターを使用して、アダプタの開放端を閉じ、これにより、ファイバの露出端を覆って、ファイバ端を危険な環境から保護すると共に、ファイバ端からの光エネルギーがアダプタから出るのを防止している。このようなスプリング負荷シャッターは、アダプタの開放端付近に枢着され、開放端を閉じたり開いたりするように枢着回転することができる。シャッター部材は、それが閉じたときは、コネクタ／アダプタ組立体の光学軸を横切って延びる。シャッター部材は、光学軸からその開状態へと枢着回転することができる。
このような枢着されたシャッターは、アダプタの外部又は内部のいずれに枢着することもできる。内部シャッターは、光ファイバコネクタ、アダプタ等が非常に小型の組立体であることを考えると、アダプタハウジング内に組み立てることが極めて困難である。外部シャッターは、コネクタをアダプタに挿入するよう試みると同時に開放することが極めて困難である。コネクタを挿入するための操作を残して、アダプタを掴みながらシャッターを開放するのに両手を使う必要がある。本考案は、操作者が片手だけでアダプタハウジングに押し付けて開放状態に保持できる程度に枢着回転できる独特な外部シャッターを提供することにより、これら種々の問題を解消することに向けられる。
【課題を解決するための手段】
【０００５】
それ故、本考案の目的は、光学軸に沿って光ファイバコネクタを受け入れるための新規で且つ改良されたリセプタクルを提供することである。
本考案によるリセプタクルは、上記光学軸に沿って挿入された光ファイバコネクタを受け入れる前方開放端を有するハウジングを備えている。このハウジングは、前方開放端から後方に延びる外壁も有する。シャッター部材は、前方開放端に隣接してハウジングに枢着されそして前方開放端を閉じたり開いたりするように枢着回転できる。シャッター部材は、これが閉じたときには光学軸を横切って延びる。シャッター部材は、上記後方に延びる外壁に並置される位置即ち押し付けられる位置まで光学軸から離れるように枢着回転できる。本質的に、シャッター部材は、その閉位置から開位置まで約２７０°にわたって枢着回転できる。
【０００６】
本考案のリセプタクルは、シャッター部材がハウジングの後方に延びる外壁に押し付けられた状態で操作者が親指と人差し指との間に掴めるサイズ及び形状である。シャッター部材は、ほぼ長方形で且つほぼ平面である。ハウジングの前方開放端はほぼ長方形であり、そして後方に延びる外壁はほぼ平らである。シャッター部材は、ほぼ長方形の開放端の一縁においてハウジングに枢着される。
本考案のリセプタクルは、その一端に開放端をそしてその反対端に相補的な相手の光ファイバコネクタのような関連光ファイバ伝送手段に嵌合する端面を有するアダプタである。アダプタは、一対の前方開放端を並置関係で含み、各前方開放端に隣接してハウジングに１つのシャッター部材が独立して枢着される。
【考案の効果】
【０００７】
以上の説明から明らかなように、本考案により、光学軸に沿って光ファイバコネクタを受け入れるための新規で且つ改良されたリセプタクルが提供され、そして操作者が片手だけでアダプタハウジングに押し付けて開放状態に保持できる程度に枢着回転できる独特なシャッターを備えたリセプタクルが提供された。
【考案を実施するための最良の形態】
【０００８】
以下、添付図面を参照して、本考案の好適な実施形態を詳細に説明する。
図１及び図２を参照すれば、アダプタの形態の本考案による二重端リセプタクル１０は、ハウジング１２と、このハウジング１２に枢着された一対のシャッター部材１４とを備えている。本考案はアダプタにおいて開示するが、本考案の概念は、光ファイバコネクタ又は他の光ファイバ伝送装置を光学軸に沿って受け入れる種々様々なリセプタクルに等しく適用できる。それ故、ここで使用する「光ファイバコネクタ」という用語は、一般的な意味で、種々の光ファイバ伝送装置を含むものとする。
【０００９】
このような理解のもとに、アダプタハウジング１２は、断面がほぼ長方形であり、接合部１６で互いに接合された２つの部分１２ａ及び１２ｂより成り、従って、ハウジング１２は一体構造である。図２から明らかなように、両ハウジング部分１２ａ及び１２ｂは、当接する内部交差壁１８と、整列された内部円筒ボス２０とを有し、これは、一対の光ファイバコネクタの突出するフェルールを受け入れ、カプセル化されたファイバが光学軸２２に沿って端−端接続されるようにする。一体的なハウジング１２は、第１の光ファイバコネクタを矢印Ａの方向に受け入れる前方開放端２４と、第２の即ち相手の光ファイバコネクタを矢印Ｂの方向に受け入れるための後方端面２８の後方開放端２６（図２）とを形成する。一対の柔軟な側部ラッチアーム３２を有する金属ラッチ部材３０は、アダプタをパネル等の開口に取り付けるためにハウジング１２に設けられる。
【００１０】
上述したように、アダプタ１０は、２対の光ファイバコネクタを相互接続するための二重端リセプタクルである。換言すれば、図３ないし図５に最も良く示すように、ハウジング１２の前面３４は、一対の前方開放端２４を有し、これにより、ハウジング１２を貫通して延びてシャッター部材１４で閉じられる一対の通路３６が露出される。各通路３６は、図２について述べたように、交差壁１８及び円筒ボス２０を有する。
各シャッター部材１４は、一対の穴付きボス３８を含み、これは、ハウジング１２の前方開放端２４の上縁に設けられた穴付きボス４０に整列される。ピボットロッド４２は、シャッター部材１４及びハウジング１２の整列された穴付きボス３８及び４０を通して延び、これにより、シャッター部材１４は、ハウジング１２の開放端２４を閉じたり開いたりするように枢着回転することができる。図１は、両シャッター部材１４が閉位置にあるところを示し、従って、シャッター部材１４は光学軸２２（図２）を横切って延びる。ピボットロッド４２の周りには一対のコイルスプリングが巻き付けられ、その第１端４４は、ハウジング１２の上壁４６に係合され、そしてその反対端４８は、シャッター部材１４に係合される。スプリングは、図１に示すように、シャッター部材１４をその閉位置に向けてバイアスする。ハウジング１２の上壁４６は、前方嵌合端２４から後方に延びる外壁を形成する。この上壁４６はほぼ平らであり、そして各シャッター部材１４は、ほぼ平面即ち平らである。
【００１１】
図３ないし図５に示すように、シャッター部材１４の１つ（図で見て左側のシャッター部材）は、図１に示す閉位置から上方に枢着回転される。より詳細には、図１及び図２に示す閉位置において、シャッター部材１４は、ハウジング１２の前方開放端２４を閉じるように光学軸２２を横切って延びる。図３に示すように、一方のシャッター部材１４は、矢印Ｃの方向に、閉位置から約９０°の位置までピボットロッド４２の周りを上方に枢着回転される。次いで、図４に示すように、そのシャッター部材１４は、図１の閉位置から約１８０°上方に延びた位置まで更に枢着回転される。最終的に、図５に示すように、シャッター部材１４は、ハウジング１２の後方に延びる外壁４６に並置したその最終開位置まで完全に枢着回転される。この最終開位置は、図１に示すシャッター部材１２の閉位置から約２７０°である。図５に示す完全に開いた位置では、その開いたシャッター材１４を外壁４６に押し付けた状態でアダプタ１０を操作者の親指と人差し指との間に掴むことができる。従って、操作者の他方の手が空き、開いたシャッター部材１４により露出した通路３６に光ファイバコネクタを挿入することができる。
【図面の簡単な説明】
【００１２】
【図１】一対の光ファイバコネクタを受け入れると共に、本考案により構成された一対のシャッター部材を受け入れるアダプタの形態のリセプタクルを示す斜視図で、シャッター部材を閉位置で示した図である。
【図２】図１の２−２線に沿った軸方向断面図である。
【図３】図１と同様の斜視図であるが、シャッター部材の１つが開くところを示す図である。
【図４】図１と同様の斜視図であるが、シャッター部材の１つが更に開いたところを示す図である。
【図５】図１、３及び４と同様の斜視図であるが、シャッター部材の１つがハウジングの上部外壁に並置した完全開放位置にある状態を示す図である。
【符号の説明】
【００１３】
１０  リセプタクル（アダプタ）
１２  ハウジング
１４  シャッター部材
１８  交差壁
２０  円筒ボス
２２  光学軸
２４  前方開放端
２６  後方開放端
４２  ピボットロッド
４６  外壁
【図１】
0003105127.tif 000003
【図２】
0003105127.tif 000004
【図３】
0003105127.tif 000005
【図４】
0003105127.tif 000006
【図５】
0003105127.tif 000007